(57)【要約】【課題】比較的単純な形態であるために金型代を低く抑えることができ、また、取付作業が容易で作業の効率化が図れるダクト用口元を提供することを課題とする。【解決手段】共に外方に張出すフランジ７、１２を有する円筒形状で天井板、壁板等を挾んで結合されるメス型ピ−ス１とオス型ピ−ス２とから成り、前記メス型ピ−ス１は、上半部にダクト取付部５を有すると共に下半部にオス型ピ−ス挿入部６を有し、前記オス型ピ−ス挿入部６に形成される前記フランジ７から連結用テープ８を垂下させ、前記オス型ピ−ス２のフランジ１２に前記連結用テープ８を挿通するテープ挿通孔１４が形成され、また、前記オス型ピース２の内壁面に前記連結用テープ８に対応していてこれを固定するテープ固定手段１５が定着される。【選択図】　　　　図１
2004053224.tif 000002
【特許請求の範囲】
【請求項１】
共に外方に張出すフランジを有する円筒形状で天井板、壁板等を挾んで結合されるメス型ピ−スとオス型ピ−スとから成り、前記メス型ピ−スは、上半部にダクト取付部を有すると共に下半部にオス型ピ−ス挿入部を有し、前記オス型ピ−ス挿入部に形成される前記フランジから連結用テープを垂下させ、前記オス型ピ−スのフランジに前記連結用テープを挿通するテープ挿通孔が形成され、また、前記オス型ピースの内壁面に前記連結用テープに対応していてこれを固定するテープ固定手段が定着されることを特徴とするダクト用口元。
【請求項２】
前記連結用テープ及びテープ固定手段が面ファスナーである請求項１に記載のダクト用口元。
【請求項３】
前記メス型ピースに配備される前記連結用テープを脱着可能にした請求項１又は２に記載のダクト用口元。
【請求項４】
前記テープ挿通孔が、前記オス型ピースのフランジの外周面から切り込んで形成したものである請求項１乃至３のいずれかに記載のダクト用口元。
【請求項５】
前記連結用テープ及び前記テープ挿通孔が、それぞれ複数配備される請求項１乃至４のいずれかに記載のダクト用口元。
【請求項６】
前記オス型ピースのフランジが、２面カットした形状である請求項１乃至５のいずれかに記載のダクト用口元。
【発明の詳細な説明】
【０００１】
【発明の属する技術分野】
本発明はダクト用口元、より詳細には、機械式室内換気システムにおいて、各室の天井裏等に配置されるダクトの先端を、天井等の開口部に固定するためのダクト用口元に関するものである。
【０００２】
【従来の技術】
上記ダクトの先端を、天井等の開口部に固定するためのダクト用口元としては、天井裏に配置されてダクトの端部が接続されるメス型ピースと、このメス型ピースに室内側から嵌合されるオス型ピースとから成り、両ピースで天井板を挟持することによってそこに固定されるタイプのものが知られている（例えば、特許第３１０８３７９号公報）。
【０００３】
上記従来のダクト用口元の場合、オス型ピースはメス型ピースに対してネジ込みにより固定されるが、そのために両ピースの成形用金型にネジ部を設ける必要があり、勢い金型が複雑となって高価となる難点がある。また、ネジ込み方式の場合は、ネジ込み作業に手間と時間を要する。
【０００４】
【発明が解決しようとする課題】
上述したように、上記従来のダクト用口元の場合、成形用金型が高価となり、また、取付作業に手間がかかるという問題があったので、本発明はそのような問題のない、即ち、比較的単純な形態であるために金型代を低く抑えることができ、また、取付作業が容易で作業の効率化が図れるダクト用口元を提供することを課題とする。
【０００５】
【課題を解決するための手段】
上記課題を解決するための本発明に係るダクト用口元は、共に外方に張出すフランジを有する円筒形状で天井板、壁板等を挾んで結合されるメス型ピ−スとオス型ピ−スとから成り、前記メス型ピ−スは、上半部にダクト取付部を有すると共に下半部にオス型ピ−ス挿入部を有し、前記オス型ピ−ス挿入部に形成される前記フランジから連結用テープを垂下させ、前記オス型ピ−スのフランジに前記連結用テープを挿通するテープ挿通孔が形成され、また、前記オス型ピースの内壁面に前記連結用テープに対応していてこれを固定するテープ固定手段が定着されることを特徴とする。
【０００６】
前記連結用テープ及びテープ固定手段としては、それぞれ面ファスナーが好適である。前記テープ挿通孔は、前記オス型ピースのフランジの外周面から切り込むことによって形成することができる。また、好ましくは、前記連結用テープ及び前記テープ挿通孔が、それぞれ複数配備され、前記オス型ピースのフランジが、２面カットされた形状とされる。
【０００７】
【発明の実施の形態】
本発明の実施の形態を添付図面に依拠して説明する。本発明に係るダクト用口元は、通例プラスチック製のメス型ピ−ス１とオス型ピ−ス２とから成り、メス型ピ−ス１は、ダクト３の端部が接続されて天井裏等に配置され、オス型ピ−ス２は、室内側からメス型ピ−ス１に結合される。メス型ピース１とオス型ピース２はそれぞれフランジ７、１２を有し、両フランジ７、１２で以て天井板４、壁板等を挾持する。
【０００８】
メス型ピ−ス１は上半部がダクト取付部５で、下半部がオス型ピ−ス挿入部６となっていて、オス型ピ−ス挿入部６の外周面の通常下端に、外方に張り出すフランジ７が設置される。ダクト取付部５は、取り付けるダクト３に対応するように、種々の径とされる（図２（Ａ）、（Ｂ）参照）。
【０００９】
フランジ７には、連結用テープ８が、通例対称的位置に一対垂設される。連結用テープ８は、粘着テープやバックル止め等のタイプのものであってもよいが、取扱いやすくて低廉な面ファスナー（マジックテープ（登録商標））が好適である。
【００１０】
この連結用テープ８は、オス型ピース挿入部６の外周面又はフランジ７に対して脱着可能に取り付け、交換できるようにすることもある。そのためには例えば、連結用テープ８の端部に横方向に張り出すストッパーを設置し、この連結用テープ８を、フランジ７に形成したテープ挿通孔７ａに挿通するようにする。言うまでもなくこの場合は、ストッパーがテープ挿通孔７ａの縁辺に引掛かるために、連結用テープ８が抜けることはない。
【００１１】
オス型ピ−ス２は円筒形状を呈していて、通常下端部にフランジ１２が形成される。このフランジ１２は、天井板４に形成される口元取付孔９の孔径よりも大きい直径の円形の２面を、通例平行にカットした形状で、そのカット面１３間の幅ｗが口元取付孔９の孔径よりも小となるように設定される（図３（Ａ）参照）。
【００１２】
フランジ１２には、その連結用テープ８に対応する位置に、連結用テープ８を挿通するためのテープ挿通孔１４が形成される。テープ挿通孔１４は、フランジ１３の外周面から切り込むことによって形成することもできる（図３（Ａ）、（Ｂ）参照）。そのようにした場合は、連結用テープ８をテープ挿通孔１４に収める操作が容易となる。
【００１３】
オス型ピース２の内側面には、テープ挿通孔１４を通して引き出される連結用テープ８の端部を固定するための、連結用テープ８に対応するテープ固定手段１５が定着される。連結用テープ８として面テープが用いられる場合、テープ固定手段１５は、これに係着する面テープとなる。
【００１４】
メス型ピース１とオス型ピース２は、メス型ピース１内に、オス型ピース２を嵌入してフランジ７とフランジ１２を合わせ（施工時には両フランジ７、１２間に天井板４が介在する。）、メス型ピース１から垂下する連結用テープ８をテープ挿通孔１４に通して引出し、その端部をオス型ピース２内に引上げてテープ固定手段１５に固定させる。かくして、オス型ピース２がメス型ピース１に連結されることになる。
【００１５】
本ダクト用口元を用いて施工するに当っては、上記のようにしてメス型ピース１にオス型ピース２を連結した状態で、メス型ピース１のダクト取付部５にダクト３を取り付け、天井裏に配置する。
【００１６】
施工に当り作業者は、室内側において口元取付孔９から手を差し入れて両ピ−ス１、２を引寄せ、上記と逆の操作でオス型ピ−ス２をメス型ピ−ス１から外す。そして、オス型ピース２を傾けてカット面１３を縦向きにし、オス型ピ−ス２を口元取付孔９から抜き出す。この作業は、カット面１３間の幅ｗが口元取付孔９の孔径よりも小に設定されていることにより可能となる。
【００１７】
次いで、メス型ピ−ス１を口元取付孔９に引寄せてそのフランジ１２を天井板４に当接させ、その連結用テープ８を口元取付孔９から引出し、オス型ピース２のテープ挿通孔１４に挿通する（図４（Ａ））。そして、連結用テープ８を持ったまま、オス型ピース２を、そのフランジ１２が天井板４に当たるまでずらし上げていき、その状態で、上記のようにして、連結用テープ８の端部をテープ固定手段１５にきつく固定する（図４（Ｂ））。
【００１８】
かくして、両ピ−ス１、２のフランジ７、１２間に天井板４が挾み付けられ、以て本ダクト用口元が天井板４に固定される（図５（Ａ））。そして、その後、室内側からグリルキャップ２０を被せる（図５（Ｂ））。
【００１９】
本発明に係るダクト用口元は上記のようにして取り付けるので、接着、ネジ止め等の煩わしい作業が不要のため極めて作業効率がよい。また、両ピ−ス１、２は連結用テープ８を介して連結されるので、フランジ７、１２間の間隔に規制がなく（但し、連結用テープ８の端部がテープの固定手段１５に届く範囲）、任意の間隔に設定可能である。そのため、天井板４の厚さ、種類に関係なく使用することが可能となる。
【００２０】
【発明の効果】
本発明は上述した通りであり、螺設部のない比較的単純な形態であるために金型代を低く抑えることができ、また、口元取り付け作業に当たり、メス型ピ−スとオス型ピ−スは一体にされて天井裏のダクトに取り付けられるため、オス型ピ−スを紛失する虞がないと共に、作業者が所持保管する煩わしさがなく、オス型ピ−スは取付孔から取り出した後、接着、ネジ止め等の作業を要せずに簡単且つ迅速にメス型ピ−スに結合して天井板等に、その天井板等の厚さ、材質に関係なく固定することが可能であり、取り外しも容易なる効果がある。
【図面の簡単な説明】
【図１】本発明に係るダクト用口元の分解斜視図である。
【図２】本発明に係るダクト用口元のメス型ピ−スの構成を示す図である。
【図３】本発明に係るダクト用口元のオス型ピ−スの構成を示す図である。
【図４】本発明に係るダクト用口元の取付方法を工程別に示す図である。
【図５】本発明に係るダクト用口元の取付方法を工程別に示す図である。
【符号の説明】
１　　メス型ピース
２　　オス型ピース
３　　ダクト
４　　天井板
５　　ダクト取付部
６　　オス型ピース挿入部
７　　フランジ
７ａ　テープ挿通孔
８　　連結用テープ
９　　口元取付孔
１２　　フランジ
１３　　カット面
１４　　テープ挿通孔
１５　　テープ固定手段
２０　　グリルキャップ
【図１】
2004053224.tif 000003
【図２】
2004053224.tif 000004
【図３】
2004053224.tif 000005
【図４】
2004053224.tif 000006
【図５】
2004053224.tif 000007